(57)【要約】【課題】大型クレーンを用いず、必要最小限度の重機を用いて展望塔を建設することにより、展望塔の建設地での作業ヤードの縮小及び周辺道路の使用領域を最小限とすることで、周辺地域に与える影響を最小限に抑えることができる塔体の架設方法を提供する。【解決手段】昇降装置７を支持ベント８で支持し、昇降装置７を伸長させて塔体３を上昇させ、上昇させた塔体３の下方に塔体３を形成する単位となる塔体構成部材４を挿入して、塔体３と塔体構成部材４とを結合する上昇第１段階と、昇降装置７を塔体３で支持し、昇降装置７を縮小して支持ベント８を上昇させ、上昇させた支持ベント８の下方に支持ベント８を形成する単位となる支持ベント構成部材９を挿入して、支持ベント８と支持ベント構成部材９とを結合する上昇第２段階とからなり、上昇第１段階と上昇第２段階とを交互に繰り返すことで塔体３を架設する。【選択図】図１
2008007985.tif 000002
【特許請求の範囲】
【請求項１】
昇降装置を支持ベントで支持し、該昇降装置を伸長させて塔体を上昇させ、上昇させた該塔体の下方に前記塔体を形成する単位となる塔体構成部材を挿入して、前記塔体と前記塔体構成部材とを結合する上昇第１段階と、
前記昇降装置を前記塔体で支持し、該昇降装置を縮小して前記支持ベントを上昇させ、上昇させた該支持ベントの下方に前記支持ベントを形成する単位となる支持ベント構成部材を挿入して、前記支持ベントと前記支持ベント構成部材とを結合する上昇第２段階とからなり、
前記上昇第１段階と前記上昇第２段階とを交互に繰り返すことで前記塔体を架設する
ことを特徴とする塔体の架設方法。
【請求項２】
請求項１に記載の塔体の架設方法において、
前記塔体の完成後、前記昇降装置にワイヤを伝って移動することができるワイヤクランプ装置を設置し、前記塔体の最上部である塔頭頂部から地面まで前記ワイヤを設置して、該ワイヤを伝ってワイヤクランプ装置が降下することで前記昇降装置、及び、前記支持ベントを降下させ、前記昇降装置、及び、前記支持ベントを順次解体する
ことを特徴とする塔体の架設方法。
【請求項３】
昇降装置を支持ベントで支持し、塔体を前記昇降装置で支持して、前記塔体を形成する単位となる塔体構成部材のうち、該塔体の最下部に位置する前記塔体構成部材を撤去した上で、昇降装置を縮小させて前記塔体を降下させる降下第１段階と、
前記支持ベントを形成する支持ベント構成部材のうち、該支持ベントの最下部に位置する前記支持ベント構成部材を撤去した上で、前記昇降装置を伸長させて前記支持ベントを降下させる降下第２段階とからなり、
前記降下第１段階と前記降下第２段階とを交互に繰り返すことで前記塔体を撤去する
ことを特徴とする塔体の撤去方法。
【請求項４】
請求項３に記載の塔体の撤去方法において、
前記昇降装置にワイヤを伝って移動することができるワイヤクランプ装置を設置し、前記塔体の最上部である塔頭頂部から地面まで前記ワイヤを設置して、該ワイヤを伝ってワイヤクランプ装置が上昇することで前記昇降装置、及び、前記支持ベントを上昇させ、前記昇降装置、及び、前記支持ベントを順次組立する
ことを特徴とする塔体の撤去方法。
【請求項５】
塔体を上昇又は降下させる昇降装置と、
前記昇降装置を支持する支持ベントと、
前記昇降装置、及び、前記支持ベントを上昇又は降下させるワイヤクランプ装置と、
前記ワイヤクランプ装置が上昇又は降下する際に用いるワイヤと
を備える
ことを特徴とする塔体の工事装置。
【発明の詳細な説明】
【技術分野】
【０００１】
本発明は、塔体の架設方法、塔体の撤去方法、及び、塔体の工事装置に関する。
【背景技術】
【０００２】
従来、橋梁桁及び橋脚等の大型の構造物の架設及び撤去は、大型クレーンを用いて行われている。しかし、橋梁桁の下や橋脚の脇には供用道路等がある場合が多いが、大型クレーンが作業を行うための広い作業スペースを確保するために、供用道路の交通規制を行って、大型クレーンの作業スペースや解体した構造物を仮置きしたりする広大な作業ヤードを確保している。このように、供用道路等の交通規制を行っての大型構造物の架設及び撤去は、供用道路の交通を妨げることとなり、周辺地域に与える影響が大きいという問題がある。このような作業ヤードを設ける大型構造物の架設及び撤去方法の一例が下記特許文献１に開示されている。
【０００３】
【特許文献１】特開平９−２１１１５号公報
【発明の開示】
【発明が解決しようとする課題】
【０００４】
大規模な都市又は観光地等における展望塔施設は、市街地等の狭小な場所に建設が計画されることがあり、また、良好な眺望を望むニーズから、非常に高い展望塔の建設が要求されている。しかしながら、従来の展望塔の架設及び撤去工法では大型のクレーンを使用し広大な作業ヤード（例えば、１５０メートル四方程度）を設けているが、狭小な場所に展望塔を建設する場合、大型クレーンが建設地に進入することができず、さらに広大な作業ヤードを設けることもできないため、狭小な場所に展望塔を建設するこができないという問題がある。
【０００５】
また、海上に展望塔を架設する場合、現在は台船に大型クレーンを設置した大型海上クレーン船で架設しているが、浅瀬の水域で水深が浅いため喫水の深い大型海上クレーン船が進入できない場所では、大型海上クレーン船により展望塔を架設することができないという問題がある。
【０００６】
このことから、本発明では、大型クレーンを用いず、必要最小限度の重機を用いて展望塔を建設することにより、展望塔の建設地での作業ヤードの縮小及び周辺道路の使用領域を最小限とすることで、周辺地域に与える影響を最小限に抑えることができ、今後の展望塔の高さがより高くなる傾向にも対応することが可能な塔体の架設方法、塔体の撤去方法、及び、塔体の工事装置を提供することを目的とする。
【課題を解決するための手段】
【０００７】
上記の課題を解決するための第１の発明(請求項１に対応)に係る塔体の架設方法は、
昇降装置を支持ベントで支持し、該昇降装置を伸長させて塔体を上昇させ、上昇させた該塔体の下方に前記塔体を形成する単位となる塔体構成部材を挿入して、前記塔体と前記塔体構成部材とを結合する上昇第１段階と、
前記昇降装置を前記塔体で支持し、該昇降装置を縮小して前記支持ベントを上昇させ、上昇させた該支持ベントの下方に前記支持ベントを形成する単位となる支持ベント構成部材を挿入して、前記支持ベントと前記支持ベント構成部材とを結合する上昇第２段階とからなり、
前記上昇第１段階と前記上昇第２段階とを交互に繰り返すことで前記塔体を架設する
ことを特徴とする。
【０００８】
上記の課題を解決するための第２の発明(請求項２に対応)に係る塔体の架設方法は、第１の発明に係る塔体の架設方法において、前記塔体の完成後、前記昇降装置にワイヤを伝って移動することができるワイヤクランプ装置を設置し、前記塔体の最上部である塔頭頂部から地面まで前記ワイヤを設置して、該ワイヤを伝ってワイヤクランプ装置が降下することで前記昇降装置、及び、前記支持ベントを降下させ、前記昇降装置、及び、前記支持ベントを順次解体することを特徴とする。
【０００９】
上記の課題を解決するための第３の発明(請求項３に対応)に係る塔体の撤去方法は、
昇降装置を支持ベントで支持し、塔体を前記昇降装置で支持して、前記塔体を形成する単位となる塔体構成部材のうち、該塔体の最下部に位置する前記塔体構成部材を撤去した上で、昇降装置を縮小させて前記塔体を降下させる降下第１段階と、
前記支持ベントを形成する支持ベント構成部材のうち、該支持ベントの最下部に位置する前記支持ベント構成部材を撤去した上で、前記昇降装置を伸長させて前記支持ベントを降下させる降下第２段階とからなり、
前記降下第１段階と前記降下第２段階とを交互に繰り返すことで前記塔体を撤去する
ことを特徴とする。
【００１０】
上記の課題を解決するための第４の発明(請求項４に対応)に係る塔体の撤去方法は、第３の発明に係る塔体の撤去方法において、前記昇降装置にワイヤを伝って移動することができるワイヤクランプ装置を設置し、前記塔体の最上部である塔頭頂部から地面まで前記ワイヤを設置して、該ワイヤを伝ってワイヤクランプ装置が上昇することで前記昇降装置、及び、前記支持ベントを上昇させ、前記昇降装置、及び、前記支持ベントを順次組立することを特徴とする。
【００１１】
上記の課題を解決するための第５の発明(請求項５に対応)に係る塔体の工事装置は、
塔体を上昇又は降下させる昇降装置と、
前記昇降装置を支持する支持ベントと、
前記昇降装置、及び、前記支持ベントを上昇又は降下させるワイヤクランプ装置と、
前記ワイヤクランプ装置が上昇又は降下する際に用いるワイヤと
を備える
ことを特徴とする。
【発明の効果】
【００１２】
第１の発明によれば、昇降装置を支持ベントで支持し、昇降装置を伸長させて塔体を上昇させ、上昇させた塔体の下方に塔体を形成する単位となる塔体構成部材を挿入して、塔体と塔体構成部材とを結合する上昇第１段階と、昇降装置を塔体で支持し、昇降装置を縮小して支持ベントを上昇させ、上昇させた支持ベントの下方に支持ベントを形成する単位となる支持ベント構成部材を挿入して、支持ベントと支持ベント構成部材とを結合する上昇第２段階とからなり、上昇第１段階と上昇第２段階とを交互に繰り返すことで塔体を架設することにより、大型のクレーンを使用し広大な作業ヤードを設けることなく、狭小な作業ヤード（例えば、２０メートル四方程度）で塔体の架設を行うことができる。これにより、展望塔等の建設地での作業ヤードの縮小及び周辺道路の使用領域を最小限とすることで、周辺地域に与える影響を最小限に抑えることができる。
【００１３】
また、現在大型クレーン等により架設されている塔体の高さよりも大幅に高い塔体を建設する場合であっても、使用する支持ベント構成部材の数を増やすだけで、現在の工法では架設することが困難な高さの塔体を容易に架設することができる。
【００１４】
さらに、海上に塔体を架設する場合、現在は台船に大型クレーンを設置した大型海上クレーン船で架設しているが、浅瀬の水域で水深が浅いため喫水の深い大型海上クレーン船が進入できない場所であっても塔体を架設することができる。
【００１５】
第２の発明によれば、第１の発明による効果に加え、塔体の完成後、昇降装置にワイヤを伝って移動することができるワイヤクランプ装置を設置し、塔体の最上部である塔頭頂部から地面までワイヤを設置して、ワイヤを伝ってワイヤクランプ装置が降下することで昇降装置、及び、支持ベントを降下させ、昇降装置、及び、支持ベントを順次解体することにより、大型のクレーンを使用し広大な作業ヤードを設けることなく、狭小な作業ヤード（例えば、２０メートル四方程度）で塔体の架設に使用した装置の撤去を行うことができる。これにより、展望塔等の建設地での作業ヤードの縮小及び周辺道路の使用領域を最小限とすることで、周辺地域に与える影響を最小限に抑えることができる。
【００１６】
第３の発明によれば、昇降装置を支持ベントで支持し、塔体を昇降装置で支持して、塔体を形成する単位となる塔体構成部材のうち、塔体の最下部に位置する塔体構成部材を撤去した上で、昇降装置を縮小させて塔体を降下させる降下第１段階と、支持ベントを形成する支持ベント構成部材のうち、支持ベントの最下部に位置する支持ベント構成部材を撤去した上で、昇降装置を伸長させて支持ベントを降下させる降下第２段階とからなり、降下第１段階と降下第２段階とを交互に繰り返すことで塔体を撤去することにより、大型のクレーンを使用し広大な作業ヤードを設けることなく、狭小な作業ヤード（例えば、２０メートル四方程度）で塔体の撤去を行うことができる。これにより、展望塔等の建設地での作業ヤードの縮小及び周辺道路の使用領域を最小限とすることで、周辺地域に与える影響を最小限に抑えることができる。
【００１７】
また、高い塔体を撤去する場合であっても、使用する支持ベント構成部材の数を増やすだけで、現在の工法では撤去することが困難な高さの塔体を容易に撤去することができる。
【００１８】
さらに、海上の塔体を撤去する場合、現在は台船に大型クレーンを設置した大型海上クレーン船で撤去しているが、浅瀬の水域で水深が浅いため喫水の深い大型海上クレーン船が進入できない場所であっても塔体を撤去することができる。
【００１９】
第４の発明によれば、第３の発明による効果に加え、昇降装置にワイヤを伝って移動することができるワイヤクランプ装置を設置し、塔体の最上部である塔頭頂部から地面までワイヤを設置して、ワイヤを伝ってワイヤクランプ装置が上昇することで昇降装置、及び、支持ベントを上昇させ、昇降装置、及び、支持ベントを順次組立することにより、大型のクレーンを使用し広大な作業ヤードを設けることなく、狭小な作業ヤード（例えば、２０メートル四方程度）で塔体の撤去に使用する装置の設置を行うことができる。これにより、展望塔等の撤去地での作業ヤードの縮小及び周辺道路の使用領域を最小限とすることで、周辺地域に与える影響を最小限に抑えることができる。
【００２０】
第５の発明によれば、塔体を上昇又は降下させる昇降装置と、昇降装置を支持する支持ベントと、昇降装置、及び、支持ベントを上昇又は降下させるワイヤクランプ装置と、ワイヤクランプ装置が上昇又は降下する際に用いるワイヤとを備えることにより、大型のクレーンを使用し広大な作業ヤードを設けることなく、狭小な作業ヤード（例えば、２０メートル四方程度）で塔体の架設又は撤去を行うことができる。これにより、展望塔等の架設又は撤去地での作業ヤードの縮小及び周辺道路の使用領域を最小限とすることで、周辺地域に与える影響を最小限に抑えることができる。
【発明を実施するための最良の形態】
【００２１】
以下、本発明に係る塔体の架設方法の一実施形態について、図１から図１３を用いて説明する。図１は、本発明に係る塔体の架設装置の側面図、図２は、本発明に係る塔体の架設方法の第１段階の側面図、図３は、本発明に係る塔体の架設方法の第２段階の側面図、図４は、本発明に係る塔体の架設方法の第３段階の側面図、図５は、本発明に係る塔体の架設方法の第４段階の側面図、図６は、本発明に係る塔体の架設方法の第５段階の側面図、図７は、本発明に係る塔体の架設方法の第６段階の側面図、図８は、本発明に係る塔体の架設方法の第７段階の側面図、図９は、本発明に係る塔体の架設方法の第８段階の側面図、図１０は、本発明に係る塔体の架設方法の第９段階の側面図、図１１は、本発明に係る塔体の架設方法の第１０段階の側面図、図１２は、本発明に係る塔体の架設方法の第１１段階の側面図、図１３は、本発明に係る塔体の架設方法の第１２段階の側面図である。
【００２２】
始めに、本実施形態に係る塔体の架設装置の装置構成の概要について説明する。なお、本実施形態では、展望フロアを設置するような展望塔を例にとって説明するが、展望塔以外であっても、灯台や電波塔等のように塔状の構造物であれば本実施形態を適用して架設することが可能である。
【００２３】
図１に、本実施形態に係る塔体の架設装置の側面図を示す。なお、図１には、展望塔が完成した時点の状態が示されている。図１に示すように、展望塔１は、展望塔１の最上部に塔頭頂部２が設置されている。この塔頭頂部２は、塔体３の上部に結合されている。塔体３は、塔体３を構成する単位となる円筒状の塔体構成部材４が複数積み上げられることにより形成されている。また、塔体３の下部は、地面５に設けられた展望塔１を固定するための塔体基部６に結合されている。
【００２４】
本実施形態では、塔体構成部材４を円筒状の部材としたが、円柱状の部材、又は、角柱状の部材、若しくは、それ以外の形状の部材を用いてもよい。さらに、塔体構成部材４の材質は、金属製、又は、鉄筋コンクリート製等、充分な強度を確保することができるものであればどのような材質のものを用いてもよい。
【００２５】
上述したような展望塔１を架設するために、本実施形態に係る塔体の架設装置では、塔頭頂部２及び塔体３を上昇させる昇降装置７を用いる。図１中では、昇降装置７は３段構造をなす多段式昇降装置が示されているが、伸長量が一つの塔体構成部材４の高さよりも大きい昇降装置７であって、且つ、塔頭頂部２、及び、塔体３の重量を支えて伸長できる昇降装置７であればどのようなものを用いてもよい。
【００２６】
図１に示すように、昇降装置７の下部には、昇降装置７、塔頭頂部２、及び、塔体３を支える支持ベント８が設置されている。この支持ベント８は、支持ベント８の１段を構成する支持ベント構成部材９を複数段積み上げることで、高さを自由に変えることができる。また、支持ベント８の下部と地面５との間には、支持ベント８を支持する基礎１０が設置されている。支持ベント８により塔頭頂部２、塔体３、及び、昇降装置７を支持する場合には、支持ベント８の下部と基礎１０とをボルト締め又は溶接等により結合する。
【００２７】
展望塔１の完成後、昇降装置７を降下させ、且つ、支持ベント８を降下させながら解体するために、昇降装置７の上部にワイヤ１３を伝って移動することができるワイヤクランプ装置１１を設置する。このワイヤクランプ装置１１は、塔頭頂部２の内部に設置されたワイヤクランプ用吊ピース１２に端部を結合され、且つ、塔頭頂部２の下部を貫通したワイヤ１３を伝って降下することができる。
【００２８】
ワイヤ１３の下端部は基礎１０等に結合しなくてもよいが、昇降装置７、及び、支持ベント８の降下時に風に煽られて大きく揺れることを防ぐために、ワイヤ１３の下端部を基礎１０等に結合しても良い。このように、ワイヤクランプ装置１１により、昇降装置７を降下させ、且つ、支持ベント８を降下させながら解体することができる。
【００２９】
次に、本実施形態に係る塔体の架設方法について説明する。ここでは、塔体の架設方法を各段階に分けて、架設開始から架設完了までの手順を追って説明する。
【００３０】
図２に、本実施形態に係る塔体の架設方法の第１段階の側面図を示す。図２に示すように、一番初めの第１段階では、小型クレーンを用いて塔体基部６上に塔体３として塔体構成部材４を設置し、この塔体３の上部に塔頭頂部２を設置して、塔体３の上部と塔頭頂部２の下部とをボルト締め又は溶接等により結合する。
【００３１】
また、基礎１０上に支持ベント８を設置し、この支持ベント８の上部に昇降装置７を設置して、支持ベント８の下部と基礎１０の上部、及び、昇降装置７の下部と支持ベント８の上部とをボルト締め又は溶接等により結合する。さらに、塔頭頂部２の下部と昇降装置７の上部とをボルト締め又は溶接等により結合する。
【００３２】
さらに、展望塔１の完成後、昇降装置７、及び、支持ベント８を撤去するときに備え、塔頭頂部２の内部にワイヤクランプ用吊ピース１２を設置する。また、昇降装置７の上部にはワイヤクランプ装置１１を設置する。
【００３３】
図３に、本実施形態に係る塔体の架設方法の第２段階の側面図を示す。図３に示すように、第２段階では、昇降装置７を矢印Ａに示すように伸長させて塔頭頂部２に結合された塔体３を持ち上げて、塔体３の下方に空間Ｂを設ける。この空間Ｂに新たな塔体構成部材４を矢印Ｃに示すように挿入する。
【００３４】
図４に、本実施形態に係る塔体の架設方法の第３段階の側面図を示す。図４に示すように、第３段階では、第２段階で挿入した新たな塔体構成部材４の上部と塔体３の下部とをボルト締め又は溶接等により結合する。また、第２段階で挿入した新たな塔体構成部材４の下部と塔体基部６とをボルト締め又は溶接等により結合する。さらに、支持ベント８の下部と基礎１０との結合を解除する。なお、第１段階から第３段階が本発明の上昇第１段階に相当する。
【００３５】
図５に、本実施形態に係る塔体の架設方法の第４段階の側面図を示す。図５に示すように、第４段階では、昇降装置７を縮小させて、支持ベント８を矢印Ｄで示すように持ち上げて、支持ベント８の下方に空間Ｅを設ける。
【００３６】
図６に、本実施形態に係る塔体の架設方法の第５段階の側面図を示す。図６に示すように、第５段階では、第４段階で設けた空間Ｅに新たな支持ベント構成部材９を矢印Ｆで示すように挿入し、挿入した新たな支持ベント構成部材９の上部と支持ベント８の下部とをボルト締め又は溶接等により結合する。その後、支持ベント８の下部と基礎１０とをボルト締め又は溶接等により結合し、塔体３の下部と塔体基部６との結合を解除する。なお、第４段階と第５段階が本発明の上昇第２段階に相当する。
【００３７】
図７に、本実施形態に係る塔体の架設方法の第６段階の側面図を示す。図７に示すように、第６段階では、支持ベント８の下部と基礎１０とをボルト締め又は溶接等により結合し、塔体３の下部と塔体基部６との結合を解除する。その後、昇降装置７を矢印Ｇで示すように伸長させて塔頭頂部２に結合された塔体３を持ち上げて、塔体３の下方に空間Ｈを設ける。この空間Ｈに新たな塔体構成部材４を矢印Ｉで示すように挿入する。
【００３８】
図８に、本実施形態に係る塔体の架設方法の第７段階の側面図を示す。図８に示すように、第７段階では、上述した第３段階から第６段階を繰り返して所望の高さまで塔体構成部材４を積み上げて、塔体３を完成させる。
【００３９】
図９に、本実施形態に係る塔体の架設方法の第８段階の側面図を示す。図９に示すように、第８段階では、第７段階で展望塔１が完成した後、ワイヤクランプ用吊ピース１２にワイヤ１３の端部を結合し、このワイヤ１３を塔頭頂部２の下部を貫通させて下方に垂らして、ワイヤ１３の下端部を基礎１０等に結合する。その後、昇降装置７の上部と塔頭頂部２の下部との結合、及び、支持ベント８の下部と基礎１０との結合を解除して、昇降装置７、及び、支持ベント８を昇降装置７上部に設置されたワイヤクランプ装置１１により支持する。
【００４０】
図１０に、本実施形態に係る塔体の架設方法の第９段階の側面図を示す。図１０に示すように、第９段階では、昇降装置７を若干縮小して支持ベント８と基礎１０との間に隙間を設けてから、最下端の支持ベント構成部材９を解体して矢印Ｊで示すように撤去する。
【００４１】
図１１に、本実施形態に係る塔体の架設方法の第１０段階の側面図を示す。図１１に示すように、第１０段階では、ワイヤクランプ装置１１をワイヤ１３を伝って矢印Ｋで示すように降下させて、昇降装置７、及び、支持ベント８を降下させ、順次支持ベント８を解体する。
【００４２】
図１２に、本実施形態に係る塔体の架設方法の第１１段階の側面図を示す。図１２に示すように、第１１段階では、第１０段階で支持ベント８（図１１参照）の解体を完了した後、ワイヤクランプ装置１１を矢印Ｌで示すように降下させて昇降装置７を基礎１０上まで降下させ、昇降装置７を解体する。
【００４３】
図１３に、本実施形態に係る塔体の架設方法の第１２段階の側面図を示す。図１３に示すように、第１２段階では、ワイヤクランプ装置（図１２参照）、ワイヤクランプ用吊ピース（図１２参照）、及び、ワイヤ（図１２参照）を撤去して、展望塔１の架設を完了する。
【００４４】
さらに、本実施形態に係る塔体の架設方法の手順を逆にすることで、既に架設された塔体を撤去することができることは、当業者にとって自明である。すなわち、始めに、昇降装置にワイヤを伝って移動することができるワイヤクランプ装置を設置し、塔体の最上部である塔頭頂部から地面までワイヤを設置して、ワイヤを伝ってワイヤクランプ装置が上昇することで昇降装置、及び、支持ベントを上昇させ、昇降装置、及び、支持ベントを順次組立る。
【００４５】
次に、昇降装置を支持ベントで支持し、塔体を昇降装置で支持して、塔体を形成する単位となる塔体構成部材のうち、塔体の最下部に位置する塔体構成部材を撤去した上で、昇降装置を縮小させて塔体を降下させる（本発明の降下第１段階に相当）。
【００４６】
支持ベントを形成する支持ベント構成部材のうち、支持ベントの最下部に位置する支持ベント構成部材を撤去した上で、昇降装置を伸長させて支持ベントを降下させる（本発明の降下第２段階に相当）。塔体の撤去と支持ベントの撤去（降下第１段階と降下第２段階）を交互に繰り返すことで塔体を撤去する。
【００４７】
以上のように、本実施形態に係る塔体の架設方法によれば、昇降装置７を支持ベント８で支持し、昇降装置７を伸長させて塔体３を上昇させ、上昇させた塔体３の下方に塔体３を形成する単位となる塔体構成部材４を挿入して、塔体３と塔体構成部材４とを結合する上昇第１段階と、昇降装置７を塔体３で支持し、昇降装置７を縮小して支持ベント８を上昇させ、上昇させた支持ベント８の下方に支持ベント８を形成する単位となる支持ベント構成部材９を挿入して、支持ベント８と支持ベント構成部材９とを結合する上昇第２段階とからなり、上昇第１段階と上昇第２段階とを交互に繰り返すことで塔体３を架設することにより、大型のクレーンを使用し広大な作業ヤードを設けることなく、狭小な作業ヤード（例えば、２０メートル四方程度）で塔体３の架設を行うことができる。これにより、展望塔１等の建設地での作業ヤードの縮小及び周辺道路の使用領域を最小限とすることで、周辺地域に与える影響を最小限に抑えることができる。
また、現在大型クレーン等により架設されている塔体３の高さよりも大幅に高い塔体３を建設する場合であっても、使用する支持ベント構成部材９の数を増やすだけで、現在の工法では架設することが困難な高さの塔体３を容易に架設することができる。
さらに、海上に塔体３を架設する場合、現在は台船に大型クレーンを設置した大型海上クレーン船で架設しているが、浅瀬の水域で水深が浅いため喫水の深い大型海上クレーン船が進入できない場所であっても塔体３を架設することができる。
【００４８】
また、塔体３の完成後、昇降装置７にワイヤ１３を伝って移動することができるワイヤクランプ装置１１を設置し、塔体３の最上部である塔頭頂部２から地面５までワイヤ１３を設置して、ワイヤ１３を伝ってワイヤクランプ装置１１が降下することで昇降装置７、及び、支持ベント８を降下させ、昇降装置７、及び、支持ベント８を順次解体することにより、大型のクレーンを使用し広大な作業ヤードを設けることなく、狭小な作業ヤード（例えば、２０メートル四方程度）で塔体３の架設に使用した装置の撤去を行うことができる。これにより、展望塔１等の建設地での作業ヤードの縮小及び周辺道路の使用領域を最小限とすることで、周辺地域に与える影響を最小限に抑えることができる。
【００４９】
また、塔体３を上昇させる昇降装置７と、昇降装置７を支持する支持ベント８と、昇降装置７、及び、支持ベント８を降下させるワイヤクランプ装置１１と、ワイヤクランプ装置１１が降下する際に用いるワイヤ１３とを備えることにより、大型のクレーンを使用し広大な作業ヤードを設けることなく、狭小な作業ヤード（例えば、２０メートル四方程度）で塔体３の架設を行うことができる。これにより、展望塔１等の建設地での作業ヤードの縮小及び周辺道路の使用領域を最小限とすることで、周辺地域に与える影響を最小限に抑えることができる。
【００５０】
また、昇降装置７を支持ベント８で支持し、塔体３を昇降装置７で支持して、塔体３を形成する単位となる塔体構成部材４のうち、塔体３の最下部に位置する塔体構成部材４を撤去した上で、昇降装置７を縮小させて塔体３を降下させる降下第１段階と、支持ベント８を形成する支持ベント構成部材９のうち、支持ベント８の最下部に位置する支持ベント構成部材９を撤去した上で、昇降装置７を伸長させて支持ベント８を降下させる降下第２段階とからなり、降下第１段階と降下第２段階とを交互に繰り返すことで塔体３を撤去することにより、大型のクレーンを使用し広大な作業ヤードを設けることなく、狭小な作業ヤード（例えば、２０メートル四方程度）で塔体３の撤去を行うことができる。これにより、展望塔１等の建設地での作業ヤードの縮小及び周辺道路の使用領域を最小限とすることで、周辺地域に与える影響を最小限に抑えることができる。
また、高い塔体３を撤去する場合であっても、使用する支持ベント構成部材９の数を増やすだけで、現在の工法では撤去することが困難な高さの塔体３を容易に撤去することができる。
さらに、海上の塔体３を撤去する場合、現在は台船に大型クレーンを設置した大型海上クレーン船で撤去しているが、浅瀬の水域で水深が浅いため喫水の深い大型海上クレーン船が進入できない場所であっても塔体３を撤去することができる。
【００５１】
また、昇降装置７にワイヤ１３を伝って移動することができるワイヤクランプ装置１１を設置し、塔体３の最上部である塔頭頂部２から地面までワイヤ１３を設置して、ワイヤ１３を伝ってワイヤクランプ装置１１が上昇することで昇降装置７、及び、支持ベント８を上昇させ、昇降装置７、及び、支持ベント８を順次組立することにより、大型のクレーンを使用し広大な作業ヤードを設けることなく、狭小な作業ヤード（例えば、２０メートル四方程度）で塔体３の撤去に使用する装置の設置を行うことができる。これにより、展望塔１等の撤去地での作業ヤードの縮小及び周辺道路の使用領域を最小限とすることで、周辺地域に与える影響を最小限に抑えることができる。
【００５２】
また、塔体３を上昇又は降下させる昇降装置７と、昇降装置７を支持する支持ベント８と、昇降装置７、及び、支持ベント８を上昇又は降下させるワイヤクランプ装置１１と、ワイヤクランプ装置１１が上昇又は降下する際に用いるワイヤ１３とを備えることにより、大型のクレーンを使用し広大な作業ヤードを設けることなく、狭小な作業ヤード（例えば、２０メートル四方程度）で塔体３の架設又は撤去を行うことができる。これにより、展望塔１等の架設又は撤去地での作業ヤードの縮小及び周辺道路の使用領域を最小限とすることで、周辺地域に与える影響を最小限に抑えることができる。
【図面の簡単な説明】
【００５３】
【図１】本発明に係る塔体の架設装置の側面図である。
【図２】本発明に係る塔体の架設方法の第１段階の側面図である。
【図３】本発明に係る塔体の架設方法の第２段階の側面図である。
【図４】本発明に係る塔体の架設方法の第３段階の側面図である。
【図５】本発明に係る塔体の架設方法の第４段階の側面図である。
【図６】本発明に係る塔体の架設方法の第５段階の側面図である。
【図７】本発明に係る塔体の架設方法の第６段階の側面図である。
【図８】本発明に係る塔体の架設方法の第７段階の側面図である。
【図９】本発明に係る塔体の架設方法の第８段階の側面図である。
【図１０】本発明に係る塔体の架設方法の第９段階の側面図である。
【図１１】本発明に係る塔体の架設方法の第１０段階の側面図である。
【図１２】本発明に係る塔体の架設方法の第１１段階の側面図である。
【図１３】本発明に係る塔体の架設方法の第１２段階の側面図である。
【符号の説明】
【００５４】
１  展望塔
２  塔頭頂部
３  塔体
４  塔体構成部材
５  地面
６  塔体基部
７  昇降装置
８  支持ベント
９  支持ベント構成部材
１０  基礎
１１  ワイヤクランプ装置
１２  ワイヤクランプ用吊ピース
１３  ワイヤ
【図１】
2008007985.tif 000003
【図２】
2008007985.tif 000004
【図３】
2008007985.tif 000005
【図４】
2008007985.tif 000006
【図５】
2008007985.tif 000007
【図６】
2008007985.tif 000008
【図７】
2008007985.tif 000009
【図８】
2008007985.tif 000010
【図９】
2008007985.tif 000011
【図１０】
2008007985.tif 000012
【図１１】
2008007985.tif 000013
【図１２】
2008007985.tif 000014
【図１３】
2008007985.tif 000015